(57)【要約】      （修正有）【課題】精油の入ったボトルを整然かつ安全に収納することが可能であると共に、ボトルの一斉取り出しやムエットの立て置きなど作業性向上に資する精油ボトル載置トレイ並びに該トレイ付精油ボトル収納ケースを提供する。【解決手段】所定の形状に成形された所用厚さを有する板体２１から成り、該板体２１の上面に精油ボトルＢが挿嵌可能な所用深さを有する有底の挿嵌穴２２が複数形成されると共に、精油を染みこませたムエットＭを精油の入った各ボトルＢの近傍にて立設可能な所用深さを有する差込溝２４が形成され、該板体２１の所定箇所には上方へ延伸する少なくとも一以上の棒状の取っ手２３が備えられた。また、精油ボトル載置トレイ２０と収納箱体１０から成るトレイ付精油ボトル収納ケース１であって、開閉自在な蓋１１を備えた収納箱体１０の中空部１２内に、一乃至複数の精油ボトル載置トレイ２０が収容され、収納箱体１０における所定箇所に、ムエットＭを収納可能な挟持体１４が備えられた。【選択図】図２
0003213545.tif 000002
【実用新案登録請求の範囲】
【請求項１】
精油をはじめとする天然または合成香料および該香料を用いて製作された化粧品等の液体が入ったボトルを整然かつ安全に載置可能な精油ボトル載置トレイであって、
所定の形状に成形された所用厚さを有する板体から成り、該板体の上面に精油ボトルが挿嵌可能な所用深さを有する有底の挿嵌穴が複数形成されると共に、該板体の所定箇所には上方へ延伸する少なくとも一以上の棒状の取っ手が備えられていることを特徴とする精油ボトル載置トレイ。
【請求項２】
前記精油ボトル載置トレイにおいて、板体の上面所定箇所に、ムエットを立設可能な所用深さを有する差込溝が形成されていることを特徴とする請求項１に記載の精油ボトル載置トレイ。
【請求項３】
前記請求項１または請求項２に記載の精油ボトル載置トレイと、該精油ボトル載置トレイを収容し得る収納箱体と、から成るトレイ付精油ボトル収納ケースであって、
開閉自在な蓋を備えた中空部を有する収納箱体の該中空部内に、一乃至複数の精油ボトル載置トレイが収容されて成ることを特徴とするトレイ付精油ボトル収納ケース。
【請求項４】
前記収納箱体における所定箇所に、ムエットを収納可能な挟持体が備えられていることを特徴とする請求項３に記載のトレイ付精油ボトル収納ケース。
【考案の詳細な説明】
【技術分野】
【０００１】
本考案は、精油（英語ではエッセンシャルオイル。アロマオイルと呼ばれることもある。以下同様）をはじめとする天然または合成香料、および該香料を用いて製作された化粧品等の液体（以下、単に「精油」という。）が収容されたボトル（以下、「精油ボトル」という。）を収納するためのトレイ及びケースに関し、詳しくは、精油の入ったボトルを整然かつ安全に収納可能であって、しかもボトルの一斉取り出しが可能で、精油を染みこませたムエットをボトルと対応して立て置きできるなど、容易に作業することが可能で、かつ見た目に綺麗で美感に優れたディスプレイ機能を備えた試香紙立て付精油ボトル載置トレイ並びに該トレイ付精油ボトル収納ケースに関するものである。
【背景技術】
【０００２】
従来より、精油を用いて、病気の予防、心身の健康やリラクセーション、ストレスの解消などを目的とする療法として、アロマテラピー（アロマセラピーとも呼ばれる。以下同様）が知られている。かかるアロマテラピーにおいて使用される道具には、精油や、その精油が入ったボトル、ムエット（試香紙）など種々のものがあり、これら道具の一部や一式全てをまとめて収納するケースが提供されている。
【０００３】
上記の様な収納ケースの提案としては、例えば、アロマテラピーに必要な用具一式をまとめて取り扱うことを可能にし、しかも、各用具の収納および管理をきわめて容易に行えるようにした「アロマテラピー用具キット」（特許文献１）が提案され、公知技術となっている。具体的には、開閉自在な蓋付きの収納ケース２に、（Ａ）気密容器に充填される芳香性のエッセンシャルオイルと、（Ｂ）耐熱性の水受け皿と、（Ｃ）前記水受け皿を所定位置に保持可能な組立式の支持台と、（Ｄ）前記水受け皿の下方に設置可能なキャンドルと、（Ｅ）前記エッセンシャルオイルの滴下具を収納してなる提案である。
【０００４】
しかしながら、かかる「アロマテラピー用具キット」の提案は、使用時には必要に応じて収納された道具を個別に取り出し、使用が終了した後には再度ケース内に収納して片づける、というだけの単にアロマテラピーに必要な道具一式を収納し得るケースの提案であって、しかも、各道具を固定的に収納する構造を採用しておらず、持ち運びによって各道具がケース内で動いて乱雑になってしまう、といった問題があった。
【０００５】
また、利用者が、入浴剤、化粧水、肌用クリーム、石鹸の色と香りを自分で作成できるように色素とアロマオイルと入浴剤、化粧水、肌用クリーム、石鹸のそれぞれの作成用キットを１つずつのセットとして収納した「自主制作型バスアンドスキンケアセット」（特許文献２）が提案され、公知技術となっている。具体的には、セットの外箱に、食品添加物着色料と天然乳白色材とアロマオイルをセットし、なおかつ、入浴剤の作成用キットと色素と香料と作成方法についてのガイドブックを収納して、１つのセットで幾通りもの色と香りを堪能することが可能なセット商品の提案である。
【０００６】
しかしながら、かかる「自主制作型バスアンドスキンケアセット」の提案は、そもそもアロマテラピーそのものに関するものではなく、自分好みの入浴剤や化粧水、肌用クリーム、石鹸を自主制作するためのものであって、単に自主制作に必要な道具一式を収納した商品の提案であった。
【０００７】
さらに、香料の専門知識や経験がない者であっても、オリジナル性の高い賦香液を製造できて、市場のニーズに対応可能な「賦香液のブレンド装置」（特許文献３）が提案され、公知技術となっている。具体的には、複数の調香液アッシーと、調香液を洗浄する洗浄液と、計量機能を有する計測器具とを具備し、前記調香液アッシーが予め複数の香料原料を基に調香した調香液と、調香液を収容した容器とから構成され、計測器具を用いて択一的に選択した複数の調香液アッシーの少なくも二種以上を調合して賦香液を調香するための賦香液のブレンド装置の提案である。  
【０００８】
しかしながら、かかる「賦香液のブレンド装置」の提案は、使用時には必要に応じて収納された道具を個別に取り出し、使用が終了した後には再度ケース内に収納して片づける、というだけの単に賦香液のブレンドに必要な道具一式を収納し得るケースの提案であって、しかも、各道具を固定的に収納する構造を採用しておらず、持ち運びによって各道具がケース内で動いて乱雑になってしまう、といった問題があった。
【０００９】
本出願人は、従来の精油ボトルなどといったアロマテラピーに必要な道具を収納可能なトレイやケースに着目し、単に道具を収納し得るだけでなく、作業性や安全性をはじめとする他の機能を発揮し得るトレイやケースが提供できないものかという着想の下、精油の入ったボトルを整然かつ安全に収納可能であって、ボトルの一斉取り出しやムエット（試香紙）の立て置きなど作業を容易にすることが可能なトレイ並びにケースを開発し、本考案にかかる「精油ボトル載置トレイ並びに該トレイ付精油ボトル収納ケース」の提案に至るものである。
【先行技術文献】
【特許文献】
【００１０】
【特許文献１】特開平１０−２２５５１０号公報
【特許文献２】登録実用新案第３１２３０６３号公報
【特許文献２】登録実用新案第３１８６１７２号公報
【考案の概要】
【考案が解決しようとする課題】
【００１１】
本考案は、上記背景技術ならびに問題点に鑑み、精油が入ったボトルを整然かつ安全に収納することが可能であると共に、ボトルの一斉取り出しやムエットの立て置きなど作業性向上に資する精油ボトル載置トレイ並びに該トレイ付精油ボトル収納ケースを提供することを課題とする。
【課題を解決するための手段】
【００１２】
上記課題を解決するため、本考案は、精油が入ったボトルを整然かつ安全に載置可能な精油ボトル載置トレイであって、所定の形状に成形された所用厚さを有する板体から成り、該板体の上面に精油ボトルが挿嵌可能な所用深さを有する有底の挿嵌穴が複数形成されると共に、該板体の所定箇所には上方へ延伸する少なくとも一以上の棒状の取っ手が備えられている手段を採る。
【００１３】
また、本考案は、前記精油ボトル載置トレイにおいて、板体の上面所定箇所に、ムエットを立設可能な所用深さを有する差込溝が形成されている手段を採り得る。
【００１４】
さらに、本考案は、前記精油ボトル載置トレイと、該精油ボトル載置トレイを収容し得る収納箱体と、から成るトレイ付精油ボトル収納ケースであって、開閉自在な蓋を備えた中空部を有する収納箱体の該中空部内に、一乃至複数の精油ボトル載置トレイが収容されて成る手段を採る。
【００１５】
またさらに、本考案は、前記収納箱体における所定箇所に、ムエットを収納可能な挟持体が備えられている手段を採り得る。
【考案の効果】
【００１６】
本考案にかかる精油ボトル載置トレイによれば、該精油ボトル載置トレイをそのまま作業机等に置くことで、複数の精油ボトルが整然かつ安全に載置された状態のまま作業することができると共に、精油ボトルにラベルを貼付する場合、ラベルの一部が載置トレイの上に位置するため、看者も精油ボトルが整然と並べられた状態で精油の種類を見ながら精油を選んだり作業を行ったり処方を受けることができる、といった機能性ならびに作業性の向上に優れた効果を奏する。
【００１７】
また、従来のムエットは作業机等に直置きされていたため、該ムエットを折り曲げて精油を浸み込ませた端部が作業机等から浮いた状態（作業机等と接触しない状態）を作る必要があったが、本考案にかかる精油ボトル載置トレイによれば、上面に差込溝を形成することで、ムエットが作業机等と接触せずに該差込溝に立設可能となっているため、ムエットの端部を折り曲げる手間がいらず、しかも立設されたムエットと近傍の精油が入ったボトルとを対応させることで、浸み込ませた精油の種類が直ぐに判別できるため、必要なムエットを容易に手にすることができ、より一層の作業性向上に資する、といった優れた効果を奏する。
【００１８】
さらに、本考案にかかるトレイ付精油ボトル収納ケースによれば、収納箱体の中空部内に、複数の精油ボトルが載置された精油ボトル載置トレイを収容する態様を採用することで、収納された精油ボトルの位置が固定的に決定されることとなるため、収納箱体内において精油ボトルを整然かつ安全に収納することが可能となって、持ち運びによっても収納箱体内において乱雑に動き回ったり中身が漏れ出てしまうことがない、といった優れた効果を奏する。
【００１９】
またさらに、本考案にかかるトレイ付精油ボトル収納ケースによれば、精油ボトルを取り出す際は、個別に取り出し可能であるほか、複数の精油ボトルが載置された精油ボトル載置トレイを取っ手を介して収納箱体内から取り出す手法を採り得るため、複数の精油ボトルを一々に取り出すのではなく精油ボトル載置トレイを使って一気に取り出すことが可能であって、作業性の向上に資する、といった優れた効果を奏する。
【図面の簡単な説明】
【００２０】
【図１】本考案にかかる精油ボトル載置トレイの実施形態を示す説明図である。（実施例１）
【図２】本考案にかかるトレイ付精油ボトル収納ケースの実施形態を示す説明図である。（実施例２）
【図３】本考案にかかるトレイ付精油ボトル収納ケースの実施形態を示す説明図である。（実施例２）
【考案を実施するための形態】
【００２１】
本考案は、精油の入ったボトルを整然かつ安全に載置可能な精油ボトル載置トレイ２０であって、所定の形状に成形された所用厚さを有する板体２１から成り、該板体２１の上面に精油ボトルＢが挿嵌可能な所用深さを有する有底の挿嵌穴２２が複数形成されると共に、該板体２１の所定箇所には上方へ延伸する少なくとも一以上の棒状の取っ手２３が備えられている手段を採用したこと、並びに、精油ボトル載置トレイ２０と、該精油ボトル載置トレイ２０を収容し得る収納箱体１０と、から成るトレイ付精油ボトル収納ケース１であって、開閉自在な蓋１１を備えた中空部１２を有する収納箱体１０の該中空部１２内に、一乃至複数の精油ボトル載置トレイ２０が収容されて成る手段を採用したこと、を最大の特徴とする。
以下、本考案にかかる精油ボトル載置トレイ２０並びにトレイ付精油ボトル収納ケース１の実施形態を、図面に基づいて説明する。
【００２２】
尚、本考案にかかる精油ボトル載置トレイ２０並びにトレイ付精油ボトル収納ケース１は、以下に述べる実施例に限定されるものではなく、本考案の技術的思想の範囲内、すなわち同一の作用効果を発揮できる形状や寸法等の範囲内で適宜変更することができるもので、記載文言通りに狭義に解釈されるものではなく、同様の作用効果を発揮し得る範囲内で広義に解釈されるものである。
【実施例１】
【００２３】
先ず、本考案にかかる精油ボトル載置トレイ２０の実施形態について説明する。図1は、本考案にかかる精油ボトル載置トレイ２０の実施形態を示す説明図である。
本考案にかかる精油ボトル載置トレイ２０は、中に精油の入った精油ボトルＢを整然かつ安全に載置可能なものであって、以下の構成を採る。
【００２４】
精油ボトル載置トレイ２０は、所用厚さを有する板体２１から成り、所定の形状に成形されている。該板体２１の上面には、所用深さを有する有底の挿嵌穴２２が複数形成されており、該挿嵌穴２２には精油ボトルＢが挿嵌可能となっている。すなわち、該挿嵌穴２２の内径は、精油ボトルＢの外径よりやや大径に形成されている。また、挿嵌穴２２の深さについては、特に限定するものではないが、精油ボトルが動くことなく固定できる深さであり、かつ挿嵌される精油ボトルＢの種類が一目で判別し得るべく、該精油ボトルＢに貼付されたラベルが隠れずに板体２１の上に位置する程度の深さとすることが望ましい。ところで、板体２１の上面に形成される挿嵌穴２１の数についても特に限定するものではなく、精油ボトルＢの外径を基に板体２１の大きさから形成可能な挿嵌穴２１の数を割り出して形成されることとなる。尚、図１（ａ）では、六個の挿嵌穴２１が形成された場合について示しており、図１（ｂ）では、二十八個の挿嵌穴２１が形成された場合について示している。
【００２５】
また精油ボトル載置トレイ２０は、板体２１の所定箇所において、上方へ延伸する少なくとも一以上の棒状の取っ手２３が備えられている。該取っ手２３は、精油ボトル載置トレイ２０を持ち運びする際の把持部として機能するものである。該取っ手２３が備えられる箇所及び数について、例えば図示の様に板体２１の平面視略中央箇所（略中心箇所）に一の取っ手２３を備えたり、あるいは、図示されていないが板体２１の両端部に夫々一つ計二つの取っ手２３を備える態様など、特に限定されるものではない。
【００２６】
精油ボトル載置トレイ２０を構成する板体２１や取っ手２３の材質については、特に限定するものではなく、例えば木製や金属製、合成樹脂製、紙製等が考え得る。尚、板体２１と取っ手２３については、共に同材質で成形すると夫々別材質で成形するとを問うものでもない。
【００２７】
精油ボトル載置トレイ２０の形状については、複数の精油ボトルＢを載置可能な大きさ・形状であれば特に限定するものではなく、運搬性や収納性を考慮しつつ、載置される精油ボトルＢの数もふまえて適宜決定される。例えば図１（ａ）に示す様な矩形状や、図１（ｂ）に示す様な円形状など、種々形状に成形される。尚、図１（ｂ）では、精油ボトル載置トレイ２０の形状について一つの円形状とした場合を示しているが、かかる円形状を直径線で分割して二つの半円形状としたり、半径線で放射状に分割して複数の円弧形状としたり、さらには、所定径幅の同心円で外周部を環状に分割する形状とすることも可能である。
【００２８】
精油ボトル載置トレイ２０の上面所定箇所には、差込溝２４を形成する態様が考え得る。該差込溝２４は、ムエットＭを差し込んで立設し得る所用深さを有して形成されている。これにより、先端に精油を浸み込ませたムエットＭが差込溝２４にて立設されるため、作業机等と接触しなくなることからムエットＭの端部を折り曲げる作業が不要となり、作業性向上に多大な効果を奏することとなる。尚、差込溝２４の配置（形成箇所）や個数について特に限定するものではないが、各精油ボトルＢごとに夫々別々にムエットＭを立設可能とするべく、該差込溝２４は精油ボトル載置トレイ２０に形成された各挿嵌穴２１の近傍に夫々形成されることが望ましい。このとき、各挿嵌穴２１の前方または後方に一列に差込溝２４を形成・配置する態様や、省スペース化を考慮して隣接する挿嵌穴２１ごと前方と後方に互い違いに差込溝２４を形成・配置する態様などが考え得る。ところで、本考案にかかる精油ボトル載置トレイ２０では、精油ボトルＢが挿嵌される挿嵌穴２２と共に差込溝２４を形成する態様についてのみ説明しているが、場合によっては挿嵌穴２２を形成せずに差込溝２４のみを形成する態様、即ちムエットＭのみを立設し得るトレイの態様も考え得る。
【００２９】
本考案において、精油ボトル載置トレイ２０に載置される精油ボトルＢの種類・形状・大きさについては特に限定はなく、また、該精油ボトルＢのキャップの形式・形態についても特に限定するものではない。すなわち、精油ボトルＢの外径・形状に対しては、当該精油ボトルＢの形状に合わせて挿嵌穴２１を成形すれば対応することができる。
【００３０】
以上の通り構成される精油ボトル載置トレイ２０によれば、複数の精油ボトルＢが整然かつ安全に載置されていることで、そのまま作業机等に置いて作業することができると共に、看者も精油ボトルＢが整然と並べられた状態で精油の種類を見ながら精油を選んだり作業を行ったり処方を受けることが可能となる。また、精油ボトル載置トレイ２０の上面に差込溝２４を形成することで、ムエットＭが作業机等と接触せずに該差込溝２４に立設可能となっているため、ムエットＭの端部を折り曲げる必要がなく、しかも立設されたムエットＭと近傍の精油ボトルＢとを対応させることで、浸み込ませた精油の種類が直ぐに判別可能となる。
【実施例２】
【００３１】
次に、本考案にかかるトレイ付精油ボトル収納ケース１について説明する。尚、実施例１と同様の部分は説明を省略する。図２及び図３は、本考案にかかるトレイ付精油ボトル収納ケース１の実施形態を示す説明図である。
本考案にかかるトレイ付精油ボトル収納ケース１は、中に精油ボトルＢを整然かつ安全に収納可能なものであって、収納箱体１０と精油ボトル載置トレイ２０で構成されている。
【００３２】
収納箱体１０は、開閉自在な蓋１１を備えると共に、内部には精油ボトルＢが載置された状態の精油ボトル載置トレイ２０を収容可能な中空部１２を有する形態となっている。該中空部１２には、一乃至複数の精油ボトル載置トレイ２０が収容されることとなる。尚、該収納箱体１０には、不使用時や持ち運び時に開閉自在の蓋１１を封止可能なロック機構を備えることが好ましい。
【００３３】
収納箱体１０の材質については、特に限定するものではなく、例えば木製や金属製、合成樹脂製、紙製等が考え得る。また、該収納箱体１０の形状についても特に限定はなく、例えば図２に示す様な平面視矩形状や、図３に示す様な平面視円形状が考えられ、あるいは、図示されていないが平面視楕円形状や多角形状などを採用し得る。
【００３４】
収納箱体１０における所定箇所には、ムエットＭを収納可能な挟持体１４が備えられた態様を採用し得る。該挟持体１４の具体的構造について、ムエットＭを挟持可能であれば特に限定はなく、例えば図示の様な一辺開口型のポケット様構造であったり、あるいは、ゴム等の伸縮帯を取り付け束ねる構造や開閉蓋を有する箱型構造などが考え得る。また、挟持体１４を備える箇所についても特に限定はなく、例えば図示の様に蓋１１の内側に備えられたり、あるいは、収納箱体１０の外周壁面や蓋１１の上面などといった外面所定箇所に備える態様であってもよい。
【００３５】
精油ボトル載置トレイ２０の基本的な構成については、前記実施例１において説明した構成と同様であって、精油ボトル載置トレイ２０は、所定の形状に成形された所用厚さを有する板体２１から成り、該板体２１の上面に精油ボトルＢが挿嵌可能な所用深さを有する有底の挿嵌穴２２が複数形成されると共に、該板体２１の所定箇所には上方へ延伸する少なくとも一以上の棒状の取っ手２３が備えられて成る。尚、本考案にかかるトレイ付精油収納ケース１に採用し得るための精油ボトル載置トレイ２０の限定的構成として、以下の点が挙げられる。
【００３６】
すなわち、精油ボトル載置トレイ２０の形状について、前記収納箱体１０における中空部１２に収容可能な大きさ・形状を有して形成されることとなる。具体的には、収納箱体１２の平面視形状すなわち中空部１２の形状を基に、収容される精油ボトル載置トレイ２０の数もふまえて適宜決定されるもので、例えば図２に示す様な矩形状や図３に示す様な円形状など、中空部１２の形状に合わせて種々形状に成形される。
また、精油ボトル載置トレイ２０の材質について、前記収納箱体１０に合わせて同材質のものとしたり、該収納箱体１０とは別の材質とする態様が可能である。
【００３７】
以上の各構成から成るトレイ付精油ボトル収納ケース１において、一の収納箱体１０における中空部１２の中に収容される精油ボトル載置トレイ２０の数については、特に限定するものではなく、一乃至複数の精油ボトル載置トレイ２０が一の中空部１２の中に収容されることとなる。尚、図２では一の中空部１２の中に三つの精油ボトル載置トレイ２０が収容される場合について示しており、また、図３では一の中空部１２の中に一つの精油ボトル載置トレイ２０が収容される場合について示している。
【００３８】
本考案において、トレイ付精油ボトル収納ケース１に収納される精油ボトルＢの種類・形状・大きさについては特に限定はなく、また、該精油ボトルＢのキャップの形式・形態についても特に限定するものではない。すなわち、高さが嵩む精油ボトルＢであっても、収納箱体１０の高さ即ち中空部１２の高さを任意に設定することで対応可能である。
【００３９】
ここで、本考案にかかるトレイ付精油ボトル収納ケース１の使用態様について説明する。
先ず、収納時の態様について説明する。各種精油の入った精油ボトルＢを精油ボトル載置トレイ２０に形成された挿嵌穴２２に挿嵌し、その状態で取っ手２３を介して持ち上げ、収納箱体１０の中空部１２へ収容する。また、未使用のムエットＭが、挟持体１４により挟持されている。この状態で蓋１１が閉じられると共に、ロック機構を備える態様を採用した場合には該ロック機構により蓋１１は封止され、保管・持ち運びが可能となる。
【００４０】
次に、使用時の態様について説明する。ロック機構を備える態様を採用した場合には該ロック機構を開封し、収納箱体１０の蓋１１を開ける。収納箱体１０の中空部１２の中から取っ手２３を介して精油ボトル載置トレイ２０を取り出し、作業机等に載置する。挟持体１４から未使用のムエットＭを取り出し、精油ボトル載置トレイ２０の挿嵌穴２２に挿嵌された精油ボトルＢを取り出し、該精油ボトルＢのキャップを開けて、該ムエットＭの先端に精油を１滴浸み込ませる。精油ボトルＢのキャップを閉め、該精油ボトルＢを元の挿嵌穴２２に挿嵌する。精油が浸みたムエットＭを、浸みた精油の入った精油ボトルＢ近傍の差込溝２４に差し込み立設する。このとき、精油の浸みた先端を上方に向けつつ、精油の浸みていない他端側を差込溝２４に差し込む。精油ボトルＢの取り出しから精油が浸みたムエットＭの立設までは、必要に応じて繰り返し行われる。
【産業上の利用可能性】
【００４１】
本考案にかかる精油ボトル載置トレイ２０並びにトレイ付精油ボトル収納ケース１は、精油ボトルＢを整然かつ安全に収納することが可能となって、持ち運びによっても収納箱体１０内において乱雑に動き回ったり中身が漏れ出てしまうことがなく、精油ボトル載置トレイ２０を使って複数の精油ボトルＢを一気に取り出すことが可能であって、しかも精油ボトルＢが整然と並べられた状態で看者も精油の種類を容易に確認しながら精油を選んだり作業をしたり処方を受けることができ、さらには、ムエットＭの端部を折り曲げることなく精油ボトルＢの近傍に立設させることで、浸み込ませた精油の種別が直ぐに判別することが可能となることから、収納性はもちろん見た目に綺麗で美感に優れ、扱い易さから作業性の向上に資すると共に機能性の向上に優れた効果を発揮するものである。したがって、本考案にかかる「精油ボトル載置トレイ２０並びに該トレイ付精油ボトル収納ケース」の産業上の利用可能性は極めて大であるものと思料する。
【符号の説明】
【００４２】
１    トレイ付精油ボトル収納ケース
１０    収納箱体
１１    蓋
１２    中空部
１４    挟持体
２０    精油ボトル載置トレイ
２１    板体
２２    挿嵌穴
２３    取っ手
２４    差込溝
Ｂ    精油ボトル
Ｍ    ムエット
【図１】
0003213545.tif 000003
【図２】
0003213545.tif 000004
【図３】
0003213545.tif 000005